(57)【要約】      （修正有）【解決手段】磁化水を造る磁石ホルダー１と塩素、細菌、難分解物質等を無害化させるための光触媒酸化チタン５、酸化チタン活性化のための紫外線ＬＥＤ６、ミネラル分抽出のための麦飯石、トルマリン石を組み合わせた健康水タンク。【効果】光触媒酸化チタンと紫外線ＬＥＤの組み合わせにより光触媒酸化チタンの活性化が出来、従来の磁化水ポット及びミネラルポットでは塩素、細菌、環境ホルモン、難分解物質の除去が難しかったがこの組み合わせを利用する事により無害化する事が可能になった。【選択図】図１
0003100632.tif 000002
【実用新案登録請求の範囲】
【請求項１】
磁石を使用した磁化水と光触媒酸化チタン、活性化のための紫外線ＬＥＤ、麦飯石、トルマリン石を組み合わせた水量多い光触媒磁気ミネラル浄水タンク。
【請求項２】
磁石を使用した磁化水と光触媒酸化チタン、活性化のための紫外線ＬＥＤ、麦飯石、トルマリン石を組み合わせた水量の少ない光触媒ミネラル浄水ポット。
【考案の詳細な説明】
【０００１】
【考案が解決しようとする課題】
従来は磁化水と麦飯石又はトルマリン石という組み合わせの磁気ミネラル水ポットは存在していたが細菌又環境ホルモン等難分解物質を無害化することが困難であった。
【０００２】
【課題を解決するための手段】
上記の目的を達成するために浄水タンクは光触媒酸化チタン５を、水を入れるタンク４に焼き付け塗布し紫外線を出すＬＥＤ６を組み合わせる。従来より光触媒酸化チタンの活性化によるスーパーオキシド効果は塩素、細菌、環境ホルモン等難分解物質を無害化出来ると云うことが知られている。紫外線ＬＥＤとの組み合わせにより光触媒酸化チタンを活性化させ発生するスーパーオキシドが塩素、細菌、環境ホルモン等の難分解物質を無害化する。この現象は光触媒酸化チタンの表面だけの効果であり水を流動化させねばならない。浄水タンクは水の容量が多いので容量に適した水流撹拌ポンプ８を使用する。浄水ポットは浄水タンク同様タンク魔法瓶外壁１５に光触媒酸化チタン５を焼き付け塗装をする。浄水ポットは容量が少ないのでＬＥＤ６の熱による対流を利用する。又熱が逃げないようにポットは魔法瓶１５を使用する。この光触媒酸化チタンを利用することで課題を解決出来るようになった。
【０００３】
【考案の効果】
光触媒酸化チタンを紫外線ＬＥＤ組み合わせ活生化させることにより塩素、細菌、環境ホルモン、難分解物質の除去が可能になった。
【図面の簡単な説明】
【１図】磁石ホルダーと麦飯石、トルマリン石ホルダー、光触媒酸化チタン、紫外線ＬＥＤを組み合わせた光磁気ミネラル浄水タンクの側面から見た断面図で有る。
【２図】側面図で有る。
【３図】磁石ホルダーと麦飯石、トルマリン石ホルダー、光触媒酸化チタンを組み合わせた光触媒磁気ミネラル浄水ポットの側面から見た断面図で有る。
【４図】側面図で有る。
【符号の説明】
【１図】
１      磁化水生成のための磁石ホルダー
２      トルマリン石、麦飯石ホルダー
３      タンク水挿入口
４      タンク
５      光触媒酸化チタン
６      紫外線ＬＥＤ
７      ＬＥＤ配線コード
８      水流撹拌ポンプ
９      撹拌ポンプ配線コード
１０    水取り出し口
１１    電源コード
１２    ＬＥＤ取付台
【３図】
１      磁化水生成のための磁石ホルダー
２      トルマリン石、麦飯石ホルダー
５      光触媒酸化チタン
６      紫外線ＬＥＤ
７      ＬＥＤ配線コード
１１    電源コード
１２    ＬＥＤ取付台
１３    水出入り口
１４    タンクカバー
１５    魔法瓶ポット
0003100632.tif 000003
0003100632.tif 000004
0003100632.tif 000005
0003100632.tif 000006
【手続補正書】
【提出日】平成15年6月18日(2003.6.18)
【手続補正１】
【補正対象書類名】明細書
【補正対象項目名】実用新案登録請求の範囲
【補正方法】変更
【補正の内容】
【実用新案登録請求の範囲】
【請求項１】
磁石ホルダー１を水挿入口３に配置しタンクの中に入れる水を磁化水にする。その磁化水にミネラルを溶出するために磁気ホルダー１の下にトルマリン石・麦飯石ホルダー２を連結する。タンク４には光触媒酸化チタン５を焼き付け塗装をする。光触媒酸化チタン５を活性化させるために紫外線ＬＥＤ６を配置する。タンク４に入った水は水流撹拌ポンプ８で撹拌する。タンクの水を撹拌し水をまんべんなくタンク４の表面にぶつけ、塩素、細菌、難分解物質等の無害化がはかれる様にした。光触媒酸化チタン５、紫外線ＬＥＤ６、磁化水を造る磁気ホルダー１、ミネラル水を造るためのトルマリン石・麦飯石ホルダー２、水流撹拌ポンプ８を組み合わせ配置した、水量の多い光触媒磁化ミネラル浄水タンク。
【請求項２】
磁石ホルダー１を水出入口１３に配置しタンクの中に入れる水を磁化水にする。その磁化水にミネラルを溶出するために磁気ホルダー１の下にトルマリン石・麦飯石ホルダー２を連結する。魔法瓶ポット１５には光触媒酸化チタン５を焼き付け塗装をする。光触媒酸化チタン５を活性化のための紫外線ＬＥＤ６を配置する。水量の少ないポットは魔法瓶１５のために紫外線ＬＥＤ６から出る熱が逃げないで、水の温度が上昇するために水が対流撹拌し塩素、細菌、難分解物質等の無害化がはかれる様にした。光触媒酸化チタン５、紫外線ＬＥＤ６，磁化水を造る磁気ホルダー１、ミネラル水を造るためのトルマリン石・麦飯石ホルダー２、魔法瓶１５を組み合わせ配置した、水量の少ない光触媒磁化ミネラル浄水ポット。
【手続補正書】
【提出日】平成15年9月25日(2003.9.25)
【手続補正２】
【補正対象書類名】明細書
【補正対象項目名】実用新案登録請求の範囲
【補正方法】変更
【補正の内容】
【実用新案登録請求の範囲】
【請求項１】
磁化水を造る磁石ホルダーと塩素、細菌、難分解物質等を無害化させるための光触媒酸化チタン、酸化チタン活性化のための紫外線ＬＥＤ、ミネラル分抽出のための麦飯石、トルマリン石を組み合わせた健康水タンク。
【手続補正３】
【補正対象書類名】明細書
【補正対象項目名】０００１
【補正方法】変更
【補正の内容】
【０００１】
【考案が解決しようとする課題】従来から磁化水ポット、ミネラル水ポットは存在していたが磁化水、ミネラル水の水の中に含まれる塩素、細菌、難分解物質等を取り除くことは困難であった。


【手続補正４】
【補正対象書類名】明細書
【補正対象項目名】０００２
【補正方法】変更
【補正の内容】
【０００２】
【課題を解決するための手段】上記の目的を達成するために健康水タンクのふた１３を取り水挿入口１２より水を入れる。水挿入口１２の所に磁化水を造る磁石ホルダーを１を配置する。更にその下にミネラルを抽出すためのトルマリン石、麦飯石ホルダー２を配置する。タンクの内壁には、光触媒酸化チタンを焼き付け塗布膜５を造る。紫外線を出すＬＥＤ７を図のように組み合わせる。従来より光触媒酸化チタンに紫外線を当てることにより酸化チタンが活性化しスーパーオキシド効果が現れ塩素を分解し、細菌、環境ホルモン等難分解物質を無害化出来ると云うことが知られている。この技術を利用し塩素、細菌、環境ホルモン等の難分解物質を無害化する。但しこの現象は光触媒酸化チタン膜の表面だけの効果であり水を流動化させねばならない。健康タンクは水容量に適した水流撹拌ポンプ８を使用し繰り返しタンク内の水を撹拌する。この光触媒酸化チタン膜に紫外線ＬＥＤから出る紫外線を照射し酸化チタンを活性化する事で塩素を分解し、細菌、環境ホルモン等難分解物質を無害化し課題を解決出来るようになった。


【手続補正５】
【補正対象書類名】明細書
【補正対象項目名】０００３
【補正方法】変更
【補正の内容】
【０００３】
【考案の効果】光触媒酸化チタンと紫外線ＬＥＤの組み合わせにより光触媒酸化チタンの活性化が出来、従来の磁化水ポット及びミネラルポットでは塩素、細菌、環境ホルモン、難分解物質の除去が難しかったがこの組み合わせを利用する事により無害化する事が可能になった。


【手続補正６】
【補正対象書類名】明細書
【補正対象項目名】図面の簡単な説明
【補正方法】変更
【補正の内容】
【図面の簡単な説明】
【１図】磁石ホルダーと麦飯石、トルマリン石ホルダー、光触媒酸化チタン、紫外線ＬＥＤコントロール基板を組み合わせた健康水タンクの側面から見た断面図で有る。
【２図】側面図で有る。
【３図】平面図である
【符号の説明】
１      磁化水造るための磁石ホルダー
２      トルマリン石、麦飯石ホルダー
３      トルマリン石と麦飯石
４      タンク
５      光触媒酸化チタン塗布膜
６      水流撹拌ポンプ及び紫外線ＬＥＤコントロール基板
７      紫外線ＬＥＤ筒
８      水流撹拌ポンプ
９      撹拌ポンプ、ＬＥＤ配線コード
１０      水取り出し口
１１      電源コード
１２      タンクへの水挿入口
１３      タンクふた
１４      水の流れ方向
１５      表示ＬＥＤ


【手続補正７】
【補正対象書類名】図面
【補正対象項目名】全図
【補正方法】変更
【補正の内容】
【図１】
0003100632.tif 000007
【図２】
0003100632.tif 000008
【図３】
0003100632.tif 000009